(57)【要約】      （修正有）【課題】タバコなどの不快な臭いを分解する機能を有すると共に、常時又は所望時には芳香を発散させることが可能な造花植物類を提供する。【解決手段】プラスチック製の茎１に、ポリエステルの平織り製の蕾２と、新サテンの朱子織り製の花３と、人絹チリメン製の葉４を備え、蕾２は突起と取付穴とで茎１の先端に着脱する構造とすると共に、芳香を発散させる粉粒体状の芳香剤が中空部分に充填された本体部と、その外側に添設されたがく片とから構成し、本体部の開口を捲ることができるがく片により封止し、且つ、茎１・蕾２・花３・葉４の表面に光触媒である図示しない二酸化チタンを配設するようにした造花植物類１００。【選択図】  図１
2006207039.tif 000002
【特許請求の範囲】
【請求項１】
花、蕾、葉、茎の少なくとも一部に光触媒を配設すると共に、花、蕾、葉、茎の少なくとも一部に芳香剤を配設し、その芳香剤が配設された部分を着脱可能に設けたことを特徴とする造花植物類。
【請求項２】
芳香剤が固体又は粉体であることを特徴とする請求項１記載の造花植物類。
【請求項３】
光触媒が難分解性バインダを介して造花植物類の素材上に配設されたことを特徴とする請求項１又は２記載の造花植物類。
【発明の詳細な説明】
【技術分野】
【０００１】
本発明は、紙、布、高分子樹脂などを用いて製造される人造の花や観葉植物などの造花植物類に関する。
【背景技術】
【０００２】
美しい生花は目で楽しめるだけでなく、花によっては固有の匂いを周囲に発散させるので、人の気持ちを落ち着かせたり、高揚させることが知られている。しかし、周知のように生花は切花にしたときから萎れ始め、長くもつものでも１週間から１０日程度で交換する必要が生じる。
【０００３】
一方、紙、布、高分子樹脂などを用いて製造される近年の人造の花や観葉植物などの造花植物類においては、自然の生花に引けを取らない美しい物がある。このような造花植物類においては、萎れることなく製造時の美しい姿を長く保ち続けるので、業務用だけでなく、家庭の玄関などにも置かれるようになっている。
【０００４】
そして、そのような造花植物類においては、良い匂いを付けて生花に一層似せるようにした技術が提案されている（例えば、特許文献１、２参照。）。また、室内に置かれる造花植物類においては、光触媒を配設するなどして消臭効果などを持たせるようにした技術も提案されている（例えば、特許文献３、４参照。）。
【特許文献１】特開２０００−３４６１１号公報
【特許文献２】特開２０００−３０３２３７号公報
【特許文献３】特開平９−２０９２０８号公報
【特許文献４】特開２００１−７９０６８号公報
【発明の開示】
【発明が解決しようとする課題】
【０００５】
しかし、消臭機能を備えると共に、必要に応じて芳香を周囲に発散させることができる造花植物類はなかった。そのため、部屋などに飾っておくだけでタバコなどの不快な臭いを分解する機能を発揮し、且つ、常時又は所望時には芳香を周囲に発散させることが可能な造花植物類を提供する必要があり、それが解決すべき課題となっていた。
【課題を解決するための手段】
【０００６】
本発明は、花、蕾、葉、茎の少なくとも一部に光触媒を配設すると共に、花、蕾、葉、茎の少なくとも一部に芳香剤を配設し、その芳香剤が配設された部分を着脱可能に設けることを主要な特徴とする造花植物類である。
【発明の効果】
【０００７】
本発明によれば、花、蕾、葉、茎の少なくとも一部に光触媒が配設されているので、室内などに設置すると、花、蕾、葉、茎の少なくとも一部に配設された光触媒の消臭作用により、タバコの煙に含まれるアセトアルデヒド、シックハウス症候群の原因とされるホルムアルデヒド、生ごみから発生するトリメチルアミン、アンモニアなどの臭い成分を分解することができ、室内の不快な臭いを取り除くことができる。
【０００８】
また、蕾、葉、茎の少なくとも一部に配設された光触媒の防汚作用により、タバコの煙などが立ち込めても、汚れが付着し難くなる。
【０００９】
また、花、蕾、葉、茎の少なくとも一部に芳香剤が配設され、その芳香剤が配設された部分が着脱可能に設けられているので、必要に応じて所望の芳香剤が配設された花、蕾、葉、茎の部分を取付けることで、周囲に所望の芳香を発散させることができる。
【発明を実施するための最良の形態】
【００１０】
花、蕾、葉、茎の少なくとも一部に光触媒を配設すると共に、花、蕾、葉、茎の少なくとも一部に固体又は粉体からなる芳香剤を配設し、その芳香剤が配設された部分を着脱可能に設けるようにした造花植物類であり、光触媒は難分解性バインダを介して造花植物類の素材上に配設される。
【実施例１】
【００１１】
本発明の第１の実施例を、図１と図２に基づいて説明する。図１、図２に例示した本発明の造花植物類１００は、薔薇に似せて作製した高分子樹脂製の造花である。すなわち、例えばプラスチックからなる茎１に、ポリエステルの平織りからなる一個の蕾２と、新サテンの朱子織りからなる３個の花３と、人絹チリメンからなる多数の葉４などを備えて、本物の薔薇に似せて作製されている。
【００１２】
そして、蕾２は、例えば図２に示したように本体部２Ａと、その外側に添設されたがく片２Ｂとから構成され、適宜のがく片２Ｂの下には内部が中空に形成された本体部２Ａの開口２Ｃが隠されており、本体部２Ａの中空部分には薔薇の匂いに似た芳香を発散させる化学製品からなる粉粒体状の芳香剤２Ｄが充填され、下部側の突起２Ｅを茎１に設けた取付穴１Ａに嵌合して茎１の先端に着脱する構造となっている。
【００１３】
また、がく片２Ｂは、開口２Ｃが露出可能に捲ることができるように設けられている。したがって、がく片２Ｂが捲られて開口２Ｃが開口しているときには、芳香剤２Ｄの薔薇の匂いに似た芳香が周囲に発散し、がく片２Ｂにより開口２Ｃが封止されているときには、芳香剤２Ｄの芳香が開口２Ｃから外部に発散することはない。
【００１４】
また、造花植物類１００は全体、すなわち茎１と、がく片２Ｂにより開口２Ｃが封止されている蕾２と、花３と、葉４の全表面には、光触媒として知られているアナターゼ型の図示しない二酸化チタン（ＴｉＯ２）が、それ自体は周知の手法、例えば可視光対応型酸化チタン（粒径４０ｎｍ）を、ＩＰＡ（イソプロピルアルコール）などを溶剤とするゾルスプレー法、若しくはディップ法を用いて配設されている。
【００１５】
なお、本発明は造花植物類の発明であって、光触媒の発明ではないので、本発明の造花植物類１００に用いる光触媒自体の構成・特長などの詳細な説明は省略するが、周知のように光触媒とは特定の物質、例えば二酸化チタンなどの金属に光（従来は紫外線の照射であったが、近年は可視光の照射でも以下に記述する作用を持つ光触媒が開発されている。）が当たると活性酸素が発生し、その活性酸素の強い酸化力で光触媒表面の臭いや汚れ成分の有機物を、無臭・無害な水と二酸化炭素などに分解するので、消臭作用、防汚作用を有する。また、活性酸素は人体に有害な細菌を死滅させるので、不衛生な所に設置して抗菌作用を発揮させることもできる。
【００１６】
また、活性酸素は部材表面を親水性とするので、光触媒膜がコーティングされた材料に水が掛かると汚れと材料との間に水が浸透して汚れを遊離する。そのため、雨水が掛かる屋外では水が掛かる度に汚れが流されるので、屋外では特に防汚作用が強く発揮される。
【００１７】
したがって、造花植物類１００が設置された室内においては、茎１、蕾２、花３、葉４の表面に配設されている光触媒の消臭作用により、タバコの煙に含まれるアセトアルデヒド、シックハウス症候群の原因であるホルムアルデヒド、生ごみから発生するトリメチルアミン、アンモニアなどの臭い成分を分解することができるので、室内の悪臭を取り除くことが可能である。
【００１８】
また、タバコの煙などが立ち込めても、光触媒の持つ有機物の分解作用により、表面に付着した有機物系の汚れは速やかに分解・除去される。なお、無機物による汚れは造花の表面に固着しないため、軽くはたき掛けしたり、水洗いするだけで除去できる。
【００１９】
一方、がく片２Ｂを捲って開口２Ｃを開口させると、芳香剤２Ｄから薔薇の匂いに似た芳香が周囲に発散し、人の気持ちを落ち着かせ、癒すことができる。そして、がく片２Ｂを捲って開口２Ｃを開口させても芳香剤２Ｄから芳香が発散しなくなったときには、芳香剤２Ｄの寿命が尽きてしまったので、古い蕾２を新しい蕾２に取り替えることで、再び芳香を発散させることが可能になり経済的である。
【実施例２】
【００２０】
本発明の第２の実施例を、図３と図４に基づいて説明する。図３、図４に例示した本発明の造花植物類１００Ａは、通称カラーと称されているオランダカイウに似せて作製した高分子樹脂製の造花である。すなわち、この実施例２の造花植物類１００Ａは、例えばプラスチックからなる茎１と、新サテンの朱子織りからなる一個の花３と、人絹チリメンからなる複数の葉４を備えて、本物のカラーに似せて作製されている。
【００２１】
花３は、花のように見える仏炎苞３Ａと、その中心部に位置する中空の穂３Ｂとから構成され、穂３Ｂはその下端部に設けられた突起３Ｃと茎１の先端部に設けられた取付穴１Ａとの嵌合により、仏炎苞３Ａの中心部に着脱可能に取付けられている。
【００２２】
そして、穂３Ｂは突起３Ｃを有する下部側３Ｂ１と、下部側３Ｂ１と螺合により分離可能に一体化されている上部側３Ｂ２とからなり、中空部には固体状の芳香剤３Ｄが充填され、上部側３Ｂ２と下部側３Ｂ１とを緩く螺合させると、上部側３Ｂ２と下部側３Ｂ１との隙間から芳香剤３Ｄからカラーに似た芳香が漏れ出るように構成されている。
【００２３】
また、造花植物類１００Ａは全体、すなわち茎１と、花３と、葉４の全表面には、光触媒として知られているアナターゼ型の図示しない二酸化チタン（ＴｉＯ２）が、それ自体は周知の手法、例えば可視光対応型酸化チタン（４０ｎｍ）を、ＩＰＡを溶剤としてスプレーコート、ディップコートなどにより配設されている。
【００２４】
したがって、造花植物類１００Ａが設置された室内においても、茎１、花３、葉４の表面に設設されている光触媒の消臭作用により、タバコの煙に含まれるアセトアルデヒド、シックハウス症候群の原因であるホルムアルデヒド、生ごみから発生するトリメチルアミン、アンモニアなどの臭い成分を分解することができるので、室内の悪臭を取り除くことが可能であり、タバコの煙などが立ち込めても、光触媒の防汚作用により、造花植物類１００Ａは汚れ難いし、付着した有機物系の汚れは水を掛けるだけで簡単に落ちる。
【００２５】
また、穂３Ｂの上部側３Ｂ２と下部側３Ｂ１とを緩く螺合させると、上部側３Ｂ２と下部側３Ｂ１との隙間から芳香剤３Ｄのカラーに似た芳香が漏れ出て周囲に発散するので、人の気持ちを落ち着かせ、癒すことができる。
【００２６】
そして、穂３Ｂの上部側３Ｂ２と下部側３Ｂ１とを緩く螺合しても芳香剤３Ｄから芳香が発散しなくなったときには、芳香剤３Ｄの寿命が尽きてしまったので、古い穂３Ｂを新しい穂３Ｂに取り替えることで、再び芳香を発散させることが可能になり経済的である。
【００２７】
なお、本発明は上記実施例に限定されるものではないので、特許請求の範囲に記載の趣旨から逸脱しない範囲で各種の変形実施が可能である。
【００２８】
例えば、本発明の造花植物類としては、ポトス、ゴムの木などのように通常は花を咲かせない観葉植物であっても良いし、肉厚の茎や葉を持っている弁慶草、アロエなどの多肉植物やサボテン類、あるいは実在しない空想の造花植物類であっても良い。
【００２９】
そして、観葉植物、多肉植物、サボテン類の造花植物類においては、多肉に形成する茎や葉の一部を適宜中空に形成し、そこに芳香剤を配設し、その芳香剤が配設された茎部や葉部を着脱可能に設けるようにして、そこから所望の芳香を発散するようにしても良い。
【００３０】
また、光触媒を茎１、蕾２、花３、葉４などの表面に配設する方法としては、前記特許文献３、４に開示された方法、ホンダ・フジシマ効果の発見者として知られている藤嶋氏など出願の特開平０７−１７１４０８号公報、特開平０７−２４６３４０号公報、特開平０７−２８９９１３号公報、特開平０８−００１０１０号公報、特開平０８−２６６６０１号公報、特開平０８−２６６６０２号公報、特開平０９−２０６６０２号公報、特開平０９−２０７２８９号公報、特開平０９−２３９２７７号公報、特開平０９−２７６６９４号公報、特開平１０−００５５９８号公報、特開平１０−２１６５３０号公報、特開平１０−２２５４６０号公報、特開平１０−２４９２１２号公報、特開平１０−２９６０８２号公報、特開平１１−１８８２７１号公報、特開平１１−１８８２７２号公報、特開平１１−２５６１３４号公報、特開平１１−１８８２７１号公報、特開２０００−００６３０３号公報、特開２０００−００６３０３号公報、特開２０００−０９３８１２号公報、特開２０００−１０２７３５号公報、特開２０００−１２６６０６号公報、特開２０００−２４６１１５号公報、特開２００１−０６２３０９号公報、特開２００１−１９９００１号公報、特開２００１−３４０８０３号公報、特開２００３−０５３１９４号公報などに開示されている従来周知の方法により配設されても良い。
【００３１】
なお、光触媒の前記作用効果を十分に発揮させるためには、光触媒は茎１、蕾２、花３、葉４の総表面積の少なくとも３０％以上、好ましくは５０％以上に配設する。
【００３２】
さらに、ドライフラワー、プリザード・ブドフラワー、ガラス、プラスチック、粘度、紙などを用いた造花に光触媒を配設することも可能である。
【図面の簡単な説明】
【００３３】
【図１】実施例１に示した造花植物類の説明図である。
【図２】実施例１に示した造花植物類の要部の説明図であり、（Ａ）は蕾の取付方法などを示す説明図、（Ｂ）は（Ａ）に示した図のＡ−Ａ断面を示す説明図である。
【図３】実施例２に示した造花植物類の説明図である。
【図４】実施例２に示した造花植物類の要部の説明図である。
【符号の説明】
【００３４】
１  茎
１Ａ  取付穴
２  蕾
２Ａ  本体部
２Ｂ  がく片
２Ｃ  開口
２Ｄ  芳香剤
２Ｅ  突起
２Ｆ  蕾
２Ｇ  蕾
３  花
３Ａ  仏炎苞
３Ｂ  穂
３Ｂ１  下部側
３Ｂ  上部側
３Ｃ  突起
３Ｄ  芳香剤
４  葉
１００、１００Ａ  造花植物類
【図１】
2006207039.tif 000003
【図２】
2006207039.tif 000004
【図３】
2006207039.tif 000005
【図４】
2006207039.tif 000006